(57)【要約】【課題】本発明は、本貫通孔を形成する一方で、その貫通孔を閉塞する支持部材の組み付け性が優れた糸止め装置を提供することを課題とする。【解決手段】スカート部７に貫通孔９を設け、貫通孔９を閉塞し糸止め部材２０を支持する支持部材１０を備える。後フランジ６の前面６ａには、支持部材１０を挿入可能な挿入口１９が形成され、貫通孔９と支持部材１０との対向部に、支持部材１０のスライド移動を可能、かつ、径方向の移動を規制する案内規制部（４１，４２，４３）が形成される。貫通孔９は、径方向から視て略Ｃ字状に切り欠いて形成され、挿入口１９側の周方向の幅が貫通孔９の後縁部側の周方向の幅よりも広く形成される。支持部材１０の外形は、径方向から視て貫通孔９に対応して形成されている。支持部材１０の外面は、径方向の内側へ凹む凹面１５であり、凹面１５は、支持部材１０の前端まで続いている。【選択図】図３
2020043875.tif 000002
【特許請求の範囲】
【請求項１】
スプールのスカート部の前側に径方向に貫通する貫通孔を設け、前記貫通孔を閉塞し糸止め部材を支持する支持部材を備える魚釣用スピニングリールの糸止め装置であって、
前記スプールの後フランジの前面には、後方に向って切り欠かれ、前記後フランジの前方から前記貫通孔内に前記支持部材を挿入可能な挿入口が形成され、
前記貫通孔の周縁部と前記支持部材との対向部には、前記支持部材のスライド移動を可能、かつ、径方向の移動を規制する案内規制部が形成され、
前記貫通孔は、前記スカート部の前部を、径方向から視て略Ｃ字状に切り欠いて形成されるとともに、前記挿入口側の周方向の幅が前記貫通孔の後縁部側の周方向の幅よりも広く形成されており、
前記支持部材の外形は、径方向から視て前記貫通孔に対応して形成されており、
前記支持部材の外面は、径方向の内側へ凹む凹面となっており、
前記凹面は、前記支持部材の前端まで続いていることを特徴とする魚釣用スピニングリールの糸止め装置。
【請求項２】
前記糸止め部材は、前記凹面に配置される釣糸係止部と、前記釣糸係止部から径方向の内側へ延びて前記支持部材を貫通する支軸部と、を備えており、
前記糸止め部材は、前記支軸部が接続される基部と、前記基部から周方向両側に延びる挟持部とを備えていることを特徴とする請求項１に記載の魚釣用スピニングリールの糸止め装置。
【発明の詳細な説明】
【技術分野】
【０００１】
本発明は、魚釣用スピニングリールの糸止め装置に関する。
【背景技術】
【０００２】
魚釣用スピニングリールの糸止め装置は、スプールに巻回された釣糸が弛まないようにするためのものであり、スプールのスカート部の外周面に配置された糸止め部材により構成されている。
この糸止め部材は、スカート部の外周面から径方向外側に延びる支軸部と、支軸部の先端に設けられた釣糸係止部と、を備えている。そして、支軸部に釣糸を巻き付けたり、又は釣糸係止部とスカート部と間に釣糸を挟み付けたりすることで、釣糸が係止するようになっている。
【０００３】
また、下記特許文献１の糸止め装置は、糸止め部材とスカート部との間に、樹脂製の支持部材が設けられている。これによれば、釣糸を糸止め部材に係止させる場合、釣糸が金属製のスカート部に接触しなくなり、釣糸に傷が付くことが抑制される。
【０００４】
また、下記特許文献２の糸止め装置では、支持部材を収容するための貫通孔がスカート部に形成されている。これによれば、糸止め部材がスカート部の外表面から径方向外側に突出する突出量が抑制されるため、意図せずに釣糸が引っ掛かる、ということを抑制できる。
【先行技術文献】
【特許文献】
【０００５】
【特許文献１】実開平５−１３１６６号公報
【特許文献２】特開２００１−２６９０９４号公報
【発明の概要】
【発明が解決しようとする課題】
【０００６】
しかしながら、上記特許文献１の変形例によれば、スカート部において凹部近傍の壁部は、支持部材を収容するための凹部と、凹部に収容された支持部材を支持するための底壁と、を併せた厚みとなる。このため、壁部が肉厚となり、スプールの重量化を招く。
一方で、特許文献２の糸止め装置のように、スカート部に貫通孔を形成したとしても、その貫通孔が閉塞されていないと、異物や釣糸がスカート部内に侵入するおそれがある。
以上から、スカート部（本体部）に貫通孔を形成する一方で、支持部材が貫通孔を閉塞できることが望まれている。
【０００７】
さらに、支持部材は比較的小さいことから組み付け難い。よって、支持部材の組み付け性に優れた構造が望まれている。
【０００８】
本発明は、このような課題を解決するために創作されたものであり、貫通孔を形成する一方で、その貫通孔を閉塞する支持部材の組み付け性が優れた魚釣用スピニングリールの糸止め装置を提供することを課題とする。
【課題を解決するための手段】
【０００９】
前記課題を解決するため、本発明に係る魚釣用リールの糸止め装置は、スプールのスカート部の前側に径方向に貫通する貫通孔を設け、前記貫通孔を閉塞し糸止め部材を支持する支持部材を備える魚釣用スピニングリールの糸止め装置であって、前記スプールの後フランジの前面には、後方に向って切り欠かれ、前記後フランジの前方から前記貫通孔内に前記支持部材を挿入可能な挿入口が形成され、前記貫通孔の周縁部と前記支持部材との対向部には、前記支持部材のスライド移動を可能、かつ、径方向の移動を規制する案内規制部が形成され、前記貫通孔は、前記スカート部の前部を、径方向から視て略Ｃ字状に切り欠いて形成されるとともに、前記挿入口側の周方向の幅が前記貫通孔の後縁部側の周方向の幅よりも広く形成されており、前記支持部材の外形は、径方向から視て前記貫通孔に対応して形成されており、前記支持部材の外面は、径方向の内側へ凹む凹面となっており、前記凹面は、前記支持部材の前端まで続いていることを特徴とする。
【００１０】
前記発明によれば、本体部に凹部ではなく貫通孔を形成するため、凹部近傍の壁部の肉厚化を回避できる。また、支持部材が貫通孔を閉塞するため、本体部内に異物等が侵入することを回避できる。
また、挿入口に支持部材を挿入すると、案内規制部により、支持部材がスプール軸の径方向に位置ずれすることなく、貫通孔内にガイドされる。よって、貫通孔内への支持部材の組み付けが容易となり、組み付け性に優れる。
さらに、支持部材の組み付け後においても案内規制部により、支持部材が貫通孔内でスプール軸の径方向に移動することが規制されるため、支持部材をスプールに固定する固定強度が高い。
また、貫通孔は、スカート部の前部を、径方向から視て略Ｃ字状に切り欠いて形成されるとともに、挿入口側の周方向の幅が貫通孔の後縁部側の周方向の幅よりも広く形成されているので、貫通孔に対して支持部材を挿入し易く、支持部材の組み付けが容易である。これにより、組み付けの作業効率の向上を図れる。
また、支持部材の外形は、径方向から視て前記貫通孔に対応して形成されているので、支持部材が貫通孔をより確実に閉塞し、かつ、支持部材と貫通孔の周縁部との間のシール性がより高まる。これにより、スカート部（本体部）内に異物が侵入するのをより確実に防止できる。
さらに、支持部材の外面は、径方向の内側へ凹む凹面となっており、凹面は、支持部材の前端まで続いているので、凹面を通じて釣糸係止部に釣糸を好適に導くことができる。したがって、釣糸の係止が行い易く、魚釣操作性に優れる。
【００１１】
また、前記発明において、前記糸止め部材は、前記凹面に配置される釣糸係止部と、前記釣糸係止部から径方向の内側へ延びて前記支持部材を貫通する支軸部と、を備えており、前記糸止め部材は、前記支軸部が接続される基部と、前記基部から周方向両側に延びる挟持部とを備えていることが好ましい。
【００１２】
前記構成によれば、支軸部の一方の側の挟持部と凹面との間に釣糸を挟持したり、周方向の反対側となる支軸部の他方の側の挟持部と凹面との間に釣糸を挟持したりできる。
【発明の効果】
【００１３】
以上から、貫通孔を形成する一方で、その貫通孔を閉塞する支持部材の組み付け性が優れた魚釣用スピニングリールの糸止め装置を提供することができる。
【図面の簡単な説明】
【００１４】
【図１】（ａ）は第１実施形態の魚釣用スピニングリールの全体構成を示す側面図であり、（ｂ）は図１の破線ＩＢで囲まれた範囲を左前の上側から斜視した斜視図である。
【図２】糸止め装置の断面図である。
【図３】糸止め装置を上方から視た平面図である。
【図４】糸止め装置を前方から視た正面図である。
【図５】（ａ）はスカート部から支持部材等を取り外した状態を上方から視た平面図であり、（ｂ）は支持部材のみがスカート部に取り付けられた状態を上方から視た平面図である。
【図６】（ａ）は図３のＶＩＡ−ＶＩＡ線矢視断面図であり、（ｂ）は図３のＶＩＢ−ＶＩＢ線矢視断面図である。
【図７】（ａ）は支持部材の組み付け工程の第１工程を上方から視た平面図であり、（ｂ）は第４工程において一対のレール部が一対の係合部内に挿入された状態を上方から視た平面図である。
【図８】第２実施形態の糸止め装置を上方から視た平面図である。
【図９】図８のＩＸ−ＩＸ線矢視断面図である。
【図１０】支持部材及び糸止め部材が取り外された状態のスカート部を前方から視た正面図である。
【図１１】支持部材の組み付け工程の第４工程において一対のレール部が一対の係合部内に挿入された状態を上方から視た平面図である。
【図１２】（ａ）は第１変形例の貫通孔を径方向外側から視た平面図であり、（ｂ）は第２変形例の貫通孔を径方向外側から視た平面図である。
【発明を実施するための形態】
【００１５】
実施形態に係る魚釣用スピニングリールについて図面を参照しながら説明する。
以下の説明において、「前後」「上下」を言うときは、図１（ａ）に示した方向を基準とし、「左右」を言うときは、図３に示す方向を基準とする。
【００１６】
（第１実施形態）
図１（ａ）に示すように、魚釣用スピニングリール１００は、ハンドル１ａが組み付けられたリール本体１と、ハンドル１ａの巻き取り操作により回転するロータ２と、ハンドル１ａの巻き取り操作により前後方向に往復運動するスプール３と、を備えている。
【００１７】
特に図示しないが、リール本体１には、前方へ延びて前端部にスプール３が取り付けられたスプール軸と、公知のオシレート機構と、が設けられている。ハンドル１ａの巻き取り操作が行われると、オシレート機構がスプール軸を前後動させ、スプール軸に取り付けられたスプール３が前後動する（図１（ａ）の矢印Ａ参照）。
また、スプール軸とスプール３との間には、公知のドラグ機構が介在しており、釣糸にドラグ力以上の力が作用すると、スプール３がスプール軸回りに回動するようになっている。
【００１８】
スプール３は、釣糸が巻回される円筒状の釣糸巻回胴部４と、釣糸巻回胴部４の前端から径方向外側に立ち上がるリング状の前フランジ５と、釣糸巻回胴部４の後端から径方向外側に立ち上がるリング状の後フランジ６と、後フランジ６から後方に延びる略円筒状のスカート部７と、を備えている。
そして、図１（ａ），（ｂ）に示すように、スカート部７の外周部の前側に糸止め装置８が設けられている。
また、本実施形態の糸止め装置８は、スカート部７の外周部の上側に位置している。
なお、糸止め装置８は、スプール３の回動に対応して周方向に変位するため、スカート部７の外周部の下側などに位置する場合もある。
以下、糸止め装置８の構成の説明では、スカート部７の外周部の上側に位置している場合を挙げて説明する。
【００１９】
図２，図３，図４に示すように、糸止め装置８は、スカート部７を貫通する貫通孔９と、貫通孔９を閉塞する支持部材１０と、支持部材１０の前側を貫通する支軸部２２が形成された糸止め部材２０と、糸止め部材２０がスカート部７から分離することを防止するためのばね部材２７と、支持部材１０が貫通孔９の貫通方向（上下方向）に移動することを規制する規制部４０と、支持部材１０に形成された一対のレール部５０，５０（図４参照）と、後フランジ６に形成された一対の係合部６０，６０（図４参照）とを備えている。
【００２０】
（貫通孔）
貫通孔９は、スカート部７の外周部の上側を径方向に貫通している。よって、貫通孔９
の向き（貫通方向）は、上下方向となっている。
図５（ａ）に示すように、貫通孔９の左右方向（周方向）の幅は、後方に向って次第に狭くなっている。よって、貫通孔９の開口部は、略台形状を呈している。
【００２１】
ここで、本実施形態の貫通孔９は、製造時に円筒状のスカート部７の前部を略Ｃ字状に切り（破線Ｂ１、Ｂ２、Ｂ３参照）、その略Ｃ字状の内部を取り除くことで、貫通孔９が形成されている。
よって、貫通孔９の周縁部（スカート部７の切り口）は、左右方向（周方向）に延びて貫通孔９の後縁を形成する後縁部９ａと、後縁部９ａの右端から前方に延びて貫通孔９の右縁を形成する右縁部９ｂと、後縁部９ａの左端から前方に延びて貫通孔９の左縁を形成する左縁部９ｃと、を有している。
【００２２】
また、貫通孔９を形成する際、後フランジ６の前面６ａから後方のスカート部７に向って切っているため、後フランジ６の一部が切り欠かれている。このため、後フランジ６の前面６ａには、後フランジ６の前方から後方へ支持部材１０をスライド移動させることで、貫通孔９内に支持部材１０を組み付け可能な挿入口１９が形成されている。
また、後フランジ６の外周面には、他の部位よりも径方向内方に凹む面（以下、当接面６ｂと称する）が形成されている（図２参照）。
なお、挿入口１９の左右方向の幅は、貫通孔９における左右方向の幅において最も広く、Ｌ１に設定されている（図５（ａ）参照）。
【００２３】
（支持部材）
支持部材１０は、糸止め部材２０を支持するとともに貫通孔９を閉塞する樹脂部材であり、平板状を呈している。
図５（ｂ）に示すように、支持部材１０の外形は、貫通孔９に対応し、略台形状に形成されている。
このため、支持部材１０の後端面１２は、貫通孔の後縁部９ａに当接している（図２参照）。支持部材１０の右端面１３は、貫通孔の右縁部９ｂに当接している（図６（ａ）参照）。さらに、支持部材１０の左端面１４は、貫通孔の左縁部９ｃに当接している（図６（ａ）参照）。以上から、支持部材１０と貫通孔９の周縁部との間は封止されている。
【００２４】
また、貫通孔９内に取り付ける前の支持部材１０の左右方向の幅は、貫通孔９の左右方
向の幅よりも僅かに大きく形成されている。
このため、支持部材１０の右端面１３及び左端面１４は、貫通孔９の右縁部９ｂ及び左縁部９ｃに圧接した状態（図６（ａ）の矢印Ｃ参照）で取り付けられている。
以上から、支持部材１０の右端面１３及び左端面１４と、貫通孔９の周縁部（右縁部９ｂ，左縁部９ｃ）との間に隙間が生じ難く、シール性が高くなっている。
【００２５】
図２に示すように、支持部材１０の前部１１の下面１１ａは、後フランジ６の当接面６ｂに当接している。よって、支持部材１０と後フランジ６との間が封止されている。
【００２６】
図２に示すように、支持部材１０の上面の中央部は、下方に凹む凹面１５になっている。このため、糸止め部材２０の後述する釣糸係止部２１は、凹面１５が形成されない場合よりも径方向内方に位置している。
また、凹面１５は、支持部材１０の前端まで形成されている。このため、釣糸巻回胴部４に巻回された釣糸を凹面１５上に配索し易くなっている。
【００２７】
図５（ｂ）に示すように、凹面１５には、平面視で略Ｔ状の孔部１６が形成されている。この孔部１６は、糸止め部材２０をスカート部７に取り付ける場合、支軸部２２等を挿通させるための孔である。
なお、孔部１６において、前側に位置し左右方向の長さが長い方を前孔部１６ａと称し、後ろ側に位置し左右方向の長さが短い方を後孔部１６ｂと称する。
また、前孔部１６ａには、糸止め部材２０の支軸部２２（図２参照）が挿通され、後孔部１６ｂには、糸止め部材２０の後述する折り返し部２６（図２参照）が挿通される。
【００２８】
図５（ｂ）に示すように、支持部材１０の周端面には、外側に突出するフランジ２８が形成されている。
フランジ２８は、支持部材１０の後端面１２、右端面１３、左端面１４に亘って連続し、径方向から視て略Ｃ字状を成している。
なお、フランジ２８の上下方向（径方向）の厚みはＬ２に設定されている（図２参照）。
【００２９】
（糸止め部材）
図２に示すように、糸止め部材２０は、支持部材１０の上側（径方向外側）に配置される釣糸係止部２１と、釣糸係止部２１から下側（径方向内方）に延びる支軸部２２と、支軸部２２の下端から上側に折り返された略Ｕ字状の折り返し部２６と、を備えている。
【００３０】
釣糸係止部２１は、支持部材１０の凹面１５との間で釣糸を挟持するためのものであり、釣糸係止部２１の下面２１ａは、凹面１５に当接している。
図３に示すように、釣糸係止部２１は、平面視で矩形状を呈している。
釣糸係止部２１は、支軸部２２が接続する基部２３と、基部２３から左側に延びる左挟持部２４と、基部２３から右側に延びる右挟持部２５と、を備えており、左右方向に比較的長く形成されている。
そして、左挟持部２４と凹面１５との間で釣糸を挟持したり（図３のＤ１参照）、又は右挟持部２５と凹面１５との間で釣糸を挟持したり（図３のＤ２参照）できるようになっている。
【００３１】
なお、本実施形態の挟持部（左挟持部２４、右挟持部２５）は、基部２３に対し左右方向に延在しているが、従来の挟持部は、基部に対し後方に延在している。
このため、本実施形態の釣糸係止部２１は、従来の釣糸係止部よりも前後方向の長さが短くなっている。この結果、支持部材１０を含む糸止め装置８の前後方向の長さは、従来のものよりも短くなっており、ひいては、スカート部７の前後方向の長さも従来のものよりも短くなっている。
【００３２】
図２に示すように、支軸部２２は、支持部材１０の前端側に位置する前孔部１６ａを貫通し、スカート部７内に延出している。
支軸部２２の前面２２ａは、後フランジ６の後面６ｃに当接している。このため、糸止め部材２０は前方へ移動しないように規制されている。
【００３３】
図６（ａ）に示すように、支軸部２２は、左右方向に長く形成され、板状を呈している。また、支軸部２２の左右方向の長さは、前孔部１６ａと同一に形成されている。
よって、支持部材１０の前孔部１６ａに貫通している支軸部２２が後孔部１６ｂ（図５（ｂ）参照）の方に移動しないように、言い換えると、支持部材１０が前方に移動しないようになっている。
【００３４】
（ばね部材）
図６（ａ）に示すように、ばね部材２７は、左右方向に延在し弾性変形可能な線材であり、支軸部２２の引っ掛け部２６を下方（径方向内方）に付勢するように変形させて組み付けられている。
具体的に、ばね部材２７の両端部２７ｂ，２７ｂがスカート部７の内周面７ｂに当接し、ばね部材２７の中央部２７ａが折り返し部２６に引っ掛かり、糸止め部材２０を下方に向って常時付勢するように組み付けられている（矢印Ｅ参照）。
このため、釣糸係止部２１の左挟持部２４（又は右挟持部２５）と支持部材１０の凹面１５との間に挿入された釣糸は、ばね部材２７の弾性力に強く挟持される。
【００３５】
（規制部）
図３に示すように、規制部４０は、支持部材１０の前側が貫通方向である上下方向に移動することを規制する第１規制部（案内規制部）４１と、支持部材１０の後側が上下方向に移動することを規制する第２規制部（案内規制部）４２とを備えている。
【００３６】
（第１規制部）
図２に示すように、第１規制部４１は、後フランジ６の当接面６ｂと糸止め部材２０の釣糸係止部２１とにより構成されている。
当接面６ｂは、支持部材１０の前部１１の下面１１ａに当接しており、支持部材１０が下側（径方向内方）に移動することを規制している。
釣糸係止部２１は、支持部材１０の上面（凹面１５）の前側に当接しており、支持部材１０が上側（径方向外側）に移動することを規制している。
以上から、支持部材１０の前部１１は、第１規制部４１により上下方向（径方向）に移動しないように規制されている。
【００３７】
また、釣糸係止部２１は、ばね部材２７により下方（径方向内方）に常時付勢されていることから、釣糸係止部２１が支持部材１０の前部１１を下方に当接している。
このため、支持部材１０の前部１１は、当接面６ｂと糸止め部材２０とにより上下方向に強く挟持されている。この結果、支持部材１０がスプール３に固定される固定強度が高くなっている。
そのほか、釣糸係止部２１が支持部材１０を下方に当接していることから、支持部材１０と当接面６ｂとの間には隙間が生じ難く、シール性が高くなっている。
【００３８】
（第２規制部）
第２規制部４２は、スカート部７に形成された凹部４４と、支持部材１０の後端部に形成された凸部４５とより構成されている。
本実施形態において、凹部４４は、貫通孔９の後縁部９ａの一部を後方に窪ませることにより構成されている。
凸部４５は、支持部材１０のフランジ２８において、後端面１２から後方に突出する部位により構成されている。
そして、凸部４５が凹部４４内に嵌合し、支持部材１０とスカート部７とが上下方向に係合している。
以上から、支持部材１０の後側は、第２規制部４２により上下方向（径方向）への移動が規制されている。
そのほか、図２、図３に示すように、凹部４４は、後端面１２の左右方向（周方向）に亘って形成されている。このため、異物が支持部材１０の後端面１２と貫通孔９の後縁部９ａとの間を通過し難く、シール性が高くなっている。
【００３９】
（係合部）
図４に示すように、一対の係合部６０，６０は、挿入口１９の左右の縁部（後フランジ６）を一部切り欠いて成る凹部である。なお、係合部６０の内部空間の高さ（径方向の長さ）Ｌ３は、フランジ２８の厚みＬ２（図２参照）と同一になっている。
また、図６（ｂ）に示すように、係合部６０は、後フランジ６の前面６ａから後面６ｃに亘って形成されている。このため、係合部６０の内部空間は、後フランジ６の前方空間と、スカート部７の内部空間とを連通している。
【００４０】
（レール部）
一対のレール部５０，５０は、支持部材１０を挿入口１９の前方から挿入口１９に挿入した場合、一対の係合部６０，６０内に挿入されて、支持部材１０を貫通孔９内にガイドするためのものである。
【００４１】
図５（ｂ）に示すように、一対のレール部５０，５０は、支持部材１０のフランジ２８において、右端面１３から右方に突出する部位と、左端面１４から左方に突出する部位と、により構成されている。
一対のレール部５０，５０の外縁５０ａ，５０ａは、後方から前方に向って互いに離間するように傾斜している。言い換えると、一対のレール部５０，５０は、後方から前方に向ってテーパ状に広がっている。
このため、各レール部５０において挿入口１９の左右の縁部よりも外側に位置する部分（以下、この部位を「前レール５１」と称する）は、各レール部５０の前側にのみ形成されている（補助線Ｊの左右外側の領域を参照）。
【００４２】
図６（ｂ）に示すように、各レール部５０の前端５２は、係合部６０内に配置されている。そして、上記したように、レール部５０の厚み（フランジ２８の厚みＬ２）と係合部６０内の高さ（径方向の長さ）Ｌ３とが同一に形成されていることから、レール部５０と係合部６０とが係合している。
以上から、支持部材１０の前部１１が上下方向（径方向）に移動しないように規制され、支持部材１０がスプール３に固定される固定強度が高くなっている。
なお、レール部５０と係合部６０とから構成される規制部を第３規制部（案内規制部）４３と称する。
【００４３】
つぎに、支持部材１０の組み付けについて、図７を用いて説明する。
第１工程は、図７に示すように、支持部材１０を後フランジ６の挿入口１９の前方に配置し、支持部材１０の後端（凸部４５）を後方（挿入口１９）に向ける。
第２工程は、支持部材１０を後方にスライド移動し（矢印Ｆ１参照）、支持部材１０の後端（凸部４５）を挿入口１９に挿入させる（二点鎖線Ｆ２参照）。
第３工程は、支持部材１０の凸部４５の下面を後フランジ６の当接面６ｂに当接させる。
第４工程は、引き続き支持部材１０を後方にスライド移動し（矢印Ｆ３参照）、支持部材１０の後端面１２を貫通孔９の後縁部９ａに当接させる。
これによれば、支持部材１０の凸部４５が貫通孔９の後縁部９ａの凹部４４内に挿入され、支持部材１０は貫通孔９内に組み付けられる。
【００４４】
ここで、第３工程によれば、第４工程のスライド移動において、支持部材１０は、下面が当接面６ｂに当接（摺動）しながら後方にスライド移動するようになり、下方（径方向内側）への位置ずれが抑制される。
この結果、引き続き支持部材１０を後方へスライド移動させる過程で、支持部材１０の前レール５１，５１が係合部６０の内部に挿入する。
【００４５】
また、前レール５１，５１が係合部６０内に挿入されると、支持部材１０を後方へスライド移動させる場合、支持部材１０が上下方向（径方向）に位置ずれすることを抑制できる。この結果、引き続き支持部材１０を後方へスライド移動させると、支持部材１０の凸部４５が凹部４４内に確実に挿入する。
【００４６】
以上、実施形態によれば、支持部材１０が貫通孔９を閉塞し、かつ、支持部材１０と貫通孔９の周縁部との間のシール性が高いことから、スカート部７（本体部）内に異物が侵入しないようになっている。
【００４７】
また、実施形態によれば、第１規制部４１は、当接面６ｂと糸止め部材２０とにより構成されている。第２規制部４２、第３規制部４３は、凹部４４、係合部６０と、凸部４５、レール部５０により構成されている。よって、簡易な構造により支持部材１０をスプール３に固定することができる。
【００４８】
また、実施形態によれば、支持部材１０の組み付け作業において、後方にスライド移動する支持部材１０の姿勢が保持されて、凸部４５が凹部４４に確実に挿入されるようになっている。このため、支持部材１０の組み付けが容易であり、組み付けの作業効率の向上を図れる。
【００４９】
このように支持部材１０と貫通孔９の周縁部の対向部に形成される少なくても第１規制部４１及び第２規制部４２、或いは第３規制部（一対のレール部５０，５０及び一対の係合部６０，６０）によって、支持部材１０のスライド移動を可能かつ径方向の移動を規制する案内規制部が構成される。
【００５０】
（第２実施形態）
つぎに第２実施形態の糸止め装置について説明する。
図８に示すように、糸止め装置８Ａは、貫通孔９を閉塞する支持部材１０と、糸止め部材２０と、支持部材１０が貫通孔９の貫通方向（上下方向）に移動することを規制する規制部４０Ａと、スカート部７に形成された一対のレール部５０Ａ，５０Ａと、支持部材１０に形成された一対の係合部６０Ａ，６０Ａと、を備えている。
また、第２実施形態の糸止め装置８Ａにおける第１実施形態との相違点は、規制部４０Ａと、一対のレール部５０Ａ，５０Ａと、一対の係合部６０Ａ，６０Ａの点である。
以下相違点に絞って説明する。
【００５１】
図８に示すように、規制部４０Ａは、第１実施形態で説明した第１規制部４１及び第２規制部４２の他に、第３規制部（案内規制部）４３Ａをさらに備えている。
【００５２】
（第３規制部）
図９に示すように、第３規制部４３Ａは、支持部材１０の右端面１３及び左端面１４に形成された凹部４６と、スカート部７に形成された凸部４７とにより構成されている。
凹部４６は、支持部材１０の右端面１３の上端と下端に、周方向外側に突出する突起４６ａ、４６ａとの間に形成される凹部として構成されている。
凸部４７は、貫通孔９の右縁部９ｂ又は左縁部９ｃであり、凹部４６内に挿入され、支持部材１０とスカート部７とが上下方向に係合している。
以上から、支持部材１０の右側及び左側は、第３規制部４３Ａにより上下方向（径方向）への移動が規制されている。そして、この第３規制部４３Ａにより、支持部材１０がスプール３に固定される固定強度が更に高くなっている。
【００５３】
一対の係合部６０Ａ，６０Ａは、前記した支持部材１０の左右の凹部４６，４６により構成されている。
この凹部４６，４６は、挿入口１９の左右の縁部よりも左右方向の内側に位置している（図８の補助線Ｋ参照）。
このため、支持部材１０を挿入口１９の前方に配置し、支持部材１０を後方にスライド移動させ、支持部材１０を貫通孔９内に組み付ける際、凹部４６，４６が挿入口１９の縁部に引っ掛からないようになっている。
【００５４】
一対のレール部５０Ａ，５０Ａは、貫通孔の右縁部９ｂと、左縁部９ｃとにより構成されている。なお、貫通孔９は、第１実施形態で説明したものと同じものである。
図１０に示すように、貫通孔９の右縁部９ｂと左縁部９ｃは、後フランジ６側から視た場合、挿入口１９内に張り出している。
【００５５】
第２実施形態の支持部材１０の組み付けは、第１実施形態と同じ工程（第１工程，第２工程、第３工程、第４工程）からなる。
図１１に示すように、第４工程において、一対の係合部６０Ａ，６０Ａ内に一対のレール部５０Ａ，５０Ａが挿入すると、支持部材１０が上下方向（径方向）に位置ずれすることが抑制される。そして、引き続き支持部材１０を後方へスライド移動させると、支持部材１０の凸部４５が凹部４４内に確実に挿入する。
以上から、第２実施形態においても、支持部材１０の組み付けが容易であり、組み付けの作業効率の向上を図れる。
【００５６】
以上、第１実施形態、第２実施形態の糸止め装置８，８Ａについて説明したが、本発明は、実施形態で説明した例に限定されない。
例えば、第１実施形態の一対のレール部５０，５０及び一対の係合部６０，６０と、第２実施形態の一対のレール部５０Ａ，５０Ａ及び一対の係合部６０Ａ，６０Ａとの両方を組み合わせてもよい。
【００５７】
また、第２実施形態の一対の係合部６０Ａ，６０Ａ（凹部４６，４６）は、支持部材１０の右端面１３、左縁面１４の一部のみに形成されているが、右端面１３、左縁面１４の前後方向の全てに亘って形成されてもよい。
【００５８】
また、貫通孔９の形状は、略台形状を呈しているが、本発明において貫通孔９の形状について限定されず、長方形であってもよく、または、図１２（ａ）に示すように、略三角形状の貫通孔１０９でもよい。
ここで、図１２（ａ）に示す略三角形状の貫通孔１０９によれば、貫通孔１０９の左右の端縁１０９ａ，１０９ａを形成するための切り込み（補助線Ｍ１参照）と、後フランジ部６の前面６ａと、が成す角度θ１が鈍角となる。この結果、後フランジ部６の前面６ａや後面６ｃにバリが生じ難く、かつ、挿入口１９が拡大されて支持部材１０を挿入口１９に挿入し易くなる。
【００５９】
または、図１２（ｂ）に示すように、貫通孔２０９は、前側に配置された台形状の孔２１０と、後側に配置された矩形状の孔２１１と、を組み合わせたものであってもよい。
これによれば、孔２１０の左右の端縁２１０ａ，２１０ａを形成するための切り込み（補助線Ｍ２参照）と、後フランジ部６の前面６ａと、が成す角度θ２が鈍角となる。よって、このような変形例においても、後フランジ部６の前面６ａや後面６ｃにバリが生じ難く、かつ、挿入口１９が拡大されて支持部材１０を挿入口１９に挿入し易くなる。
【００６０】
更に、支持部材１０を合成樹脂部材で形成するとともに、支持部材１０の端面（後端面１２は，右端面１３，左端面１４）と貫通孔９の周縁部との間に介在する弾性変形部を支持部材１０に形成する。一方で、貫通孔９の周縁部には、隆起部を形成する。
そして、支持部材１０がスライド移動して貫通孔９を閉塞する取着位置において、弾性変形部が隆起部により弾性変形して係合するように構成してもよい。
【００６１】
また、実施形態では、レール部５０，５０Ａ及び係合部６０，６０Ａは、左右方向（周方向）の両側に形成されているが、本発明は、左右方向の一方にのみに形成されていてもよい。
【符号の説明】
【００６２】
１      リール本体
３      スプール
６      後フランジ
７      スカート部
８、８Ａ  糸止め装置
９      貫通孔
１０    支持部材
１９    挿入口
２０    糸止め部材
２８    フランジ
４０，４０Ａ  規制部
４１    第１規制部（案内規制部）
４２    第２規制部（案内規制部）
４３，４３Ａ  第３規制部（案内規制部）
４４，４６  凹部
４５，４７    凸部
５０，５０Ａ  レール部
５１    前レール
６０，６０Ａ  係合部
１００  魚釣用スピニングリール
【図１】
2020043875.tif 000003
【図２】
2020043875.tif 000004
【図３】
2020043875.tif 000005
【図４】
2020043875.tif 000006
【図５】
2020043875.tif 000007
【図６】
2020043875.tif 000008
【図７】
2020043875.tif 000009
【図８】
2020043875.tif 000010
【図９】
2020043875.tif 000011
【図１０】
2020043875.tif 000012
【図１１】
2020043875.tif 000013
【図１２】
2020043875.tif 000014